(57)【要約】【課題】起立した状態の幼児等に対して容易に装着することができ、特に背側装着する際の装着性及びフィット性に優れた、前後どちらからでも装着が容易な使い捨ておむつを提供すること。【解決手段】ファスニングテープ５，５間に、おむつ幅方向に弾性伸縮する伸縮部８が形成されており、該伸縮部８は、幅２０〜５０ｍｍの帯状弾性部材８１を、ウエスト縁部１１からファスニングテープ間５，５の領域Ｄの少なくとも一部に亘るように固定して形成されており、股下部Ａの最小幅部分の幅Ｗ１が１００〜２４０ｍｍであり、おむつ長手方向中央線ＣＬの両側の飽和吸収容量の比が４５／５５〜５５／４５であり、帯状弾性部材８１の股下部側の一端縁８１ａと、吸収体４の帯状弾性部材側の一端縁４２ａとの間の距離Ｌ６が０〜２０ｍｍである、使い捨ておむつ。【選択図】　　図１
2004057415.tif 000002
【特許請求の範囲】
【請求項１】
液透過性の表面シート、液不透過性の裏面シート及び両シート間に介在された液保持性の吸収体を備えたおむつであって、
長手方向の一方の部位の左右両側縁部にファスニングテープが設けられており、
前記左右のファスニングテープ間に、おむつ幅方向に弾性伸縮する伸縮部が形成されており、該伸縮部は、幅２０〜５０ｍｍの帯状弾性部材を、前記一方の部位のウエスト縁部から前記左右のファスニングテープ間の領域の少なくとも一部に亘るように固定して形成されており、
股下部の最小幅部分の幅が１００〜２４０ｍｍであり、
おむつを長手方向に２等分する中央線の両側の飽和吸収容量の比（前記一方の部位側／他方の部位側）が４５／５５〜５５／４５であり、
前記帯状弾性部材の股下部側の一端縁と、前記吸収体の該帯状弾性部材側の一端縁との間の距離が０〜２０ｍｍである、前後どちらからでも装着が容易なおむつ。
【請求項２】
前記伸縮部は、各ファスニングテープの近傍においても弾性伸縮性を発現する請求項１記載の前後どちらからでも装着が容易なおむつ。
【請求項３】
前記帯状弾性部材は、前記左右のファスニングテープ間の領域内に位置する部分のおむつ長手方向の長さが、該領域のおむつ長手方向の長さの１／３〜２／３である請求項１又は２記載の前後どちらからでも装着が容易なおむつ。
【発明の詳細な説明】
【０００１】
【発明の属する技術分野】
本発明は、起立した状態の幼児等に対して容易に装着することができ、特に背側装着する際の装着性及びフィット性に優れた、前後どちらからでも装着が容易な使い捨ておむつに関する。
【０００２】
【従来の技術及び発明が解決しようとする課題】
従来、使い捨ておむつとして、ファスニングテープを有する展開型の使い捨ておむつと、予めパンツ型に形成されたパンツ型の使い捨ておむつが知られており、展開型の使い捨ておむつは、新生児から使用できることや、製造コストが安いこと等から、最も一般的に用いられている。
【０００３】
しかし、従来の展開型使い捨ておむつは、仰向けに寝ている状態の赤ちゃんや幼児等に対しては容易に装着できるが、活動が活発になって、その装着をいやがったりする場合、例えば、寝るのを嫌がって逃げ回ったりする場合には、その装着が容易ではない。
このような場合、幼児等の装着対象者を起立させた状態で、おむつを装着すること（以下、立位装着ともいう）が考えられる。
しかし、従来の使い捨ておむつは、装着対象者が寝ている状態で装着するように設計されており、立ち上がった状態の幼児等に装着する場合には、装着が容易でなかったり、フィット性が悪化したり、着用中におむつがずれ下がる等の問題が生じる。
立位装着の方法として、本発明者らは、ファスニングテープを着用者の腹側においてランディングゾーンに止着して装着する方法（以下、この方法により装着することを腹側装着ともいう）の他に、ファスニングテープを着用者の背側においてランディングゾーンに止着して装着する方法（以下、この方法で装着することを背側装着ともいう）を検討したが、従来の使い捨ておむつにおいては、特に背側装着する場合に、上述したような問題点が顕著であった。
【０００４】
尚、着用者の背側でファスニングテープを止着させる目的のおむつが特開平６−６３０７７号に提案されている。これはおむつ本体の側部に弾性耳片とこれに固定したファスニングテープを有する構造のおむつであり、背側で止着するには従来のおむつに比べて装着し易さが改善されている。しかし、ファスニングテープを有するいわゆる展開型のおむつは前側で止着する場面も多く、後側で止着する場合だけを考慮した設計では本来の前側で止着する場合での装着し易さ、吸収性能及び漏れ防止性能が犠牲とならざるを得ない。前記公報の発明は、動きの激しくなった幼児に適用すべく背側のみで止着する設計となっており、前側で止着する場合については考慮されていない。従って、腹側・背側どちらで止着しても装着性や吸収性能を十分に満足できるおむつは未だ提案されていなかった。
【０００５】
従って、本発明の目的は、起立した状態の幼児等に対して容易に装着することができ、特に背側装着する際の装着性及びフィット性に優れた、前後装着容易な使い捨ておむつを提供することにある。
ここで、前後装着容易とは、腹側装着及び背側装着の何れの場合にも容易に装着できることをいう。
【０００６】
【課題を解決するための手段】
本発明は、液透過性の表面シート、液不透過性の裏面シート及び両シート間に介在された液保持性の吸収体を備えたおむつであって、長手方向の一方の部位の左右両側縁部にファスニングテープが設けられており、前記左右のファスニングテープ間に、おむつ幅方向に弾性伸縮する伸縮部が形成されており、該伸縮部は、幅２０〜５０ｍｍの帯状弾性部材を、前記一方の部位のウエスト縁部から前記左右のファスニングテープ間の領域の少なくとも一部に亘るように固定して形成されており、股下部の最小幅部分の幅が１００〜２３０ｍｍであり、おむつを長手方向に２等分する中央線の両側の飽和吸収容量の比（前記一方の部位側／他方の部位側）が４５／５５〜５５／４５であり、前記帯状弾性部材の股下部側の一端縁と、前記吸収体の該帯状弾性部材側の一端縁との間の距離が０〜２０ｍｍである、前後どちらからでも装着が容易なおむつを提供することにより、前記目的を達成したものである。
【０００７】
【発明の実施の形態】
以下、本発明を、その好ましい一実施形態に基づいて詳細に説明する。
本発明の一実施形態としての使い捨ておむつ１は、図１及び図２に示すように、液透過性の表面シート２、液不透過性の裏面シート３、及び両シート間に介在された液保持性の吸収体４を備えている。使い捨ておむつ１は、幼児用の展開型の使い捨ておむつであり、長手方向の中央部に股下部Ａを有しており、長手方向における該股下部Ａの前後に、左右両側縁部に一対のファスニングテープ５が設けられた第１部（長手方向の一方の部位）Ｂ及び外表面にファスニングテープ５を止着するランディングゾーン５１が設けられた第２部Ｃを有している。股下部Ａは、着用時に装着対象者（着用者）の股下部（股間部）に配される。
【０００８】
本実施形態のおむつ１は、股下部Ａの両側縁が凹状（円弧状）に形成されており、全体として、長手方向中央部が括れた砂時計状の形状を有している。
表面シート２は、吸収体４よりも外形寸法の大きい略矩形状の平面視形状を有しており、裏面シート３の幅方向中央部に配されている。裏面シート３は、おむつの外形形状に一致する砂時計状の外形を有している。
表面シート２及び裏面シート３は、それぞれ、吸収体４の両側縁４１，４１及び両端縁４２ａ，４２ｂから外方に延出しており、それらの延出部において互いに直接又は間接的に接合されている。裏面シート３の長手方向の両側部は、表面シート２の両側縁から幅方向外方に延出している。
【０００９】
本実施形態のおむつ１における長手方向の両側には、一対の立体ギャザー６，６及び一対のレッグギャザー７，７が形成されている。
より詳細には、一対の立体ギャザー６は、それぞれ、弾性部材６１を有する立体ギャザー形成用のシート材６２を、表面シート２の両側縁の外方から内方に亘るように配設して形成されている。各シート材６２は、吸収体４の側縁４１と後述するレッグ部弾性部材７１との間において、ヒートシール、接着剤等の公知の接合手段により、おむつ長手方向に亘って直線状に表面シート２上に固定されており、その直線状の固定部により立体ギャザー６の固定端（図示せず）が形成されている。各シート材６２は、前記固定端よりも幅方向外方に位置する部分が表面シート２又は裏面シート３上に固定されており、また、おむつの長手方向両端部近傍における該固定端よりもおむつ幅方向中央側に位置する部分が表面シート２上に固定されている。各立体ギャザー６に配設された弾性部材６１は、それぞれ糸状の形態を有し、各立体ギャザー６の自由端６３と略平行に複数本配されている。
【００１０】
一対のレッグギャザー７は、おむつ幅方向における、立体ギャザー６，６の前記固定端の位置よりも更に外側に、複数本のレッグ部弾性部材７１，７１を、略直線状に配設して形成されている。
【００１１】
本実施形態のおむつ１における左右一対のファスニングテープ５，５間には、おむつ幅方向に弾性伸縮する伸縮部８が形成されている。
伸縮部８は、幅２０〜５０ｍｍの帯状弾性部材８１を、図１に示すように、第１部Ｂ（一方の部位）のウエスト縁部１１から一対のファスニングテープ５，５同士間の領域Ｄに亘るように固定して形成されている。帯状弾性部材８１は、その幅Ｌ１（図１参照）が３０〜４０ｍｍであることが一層好ましい。
ここで、ファスニングテープ５，５間の領域Ｄは、図１に示すように、おむつ本体部分（ここで、おむつ本体部分とは、おむつからファスニングテープが突出した部位を除いた箇所を言う）内に固定されたファスニングテープの固定部分５２，５２間に挟まれた領域である。
【００１２】
ファスニングテープ５，５間の領域Ｄは、該領域Ｄを、おむつ幅方向に伸張させたときの、最大伸張時の伸張率から３０％を減じた伸張率における引張荷重（引張力）（以下、テープ間領域の引張荷重ともいう）が、５０〜５００ｇｆ、特に１００〜３００ｇｆであることが好ましい。尚、テープ間領域の引張荷重は、以下のようにして測定する。
〔テープ間領域の引張荷重〕
おむつから、第１部Ｂにおける、左右のファスニングテープ固定端の間に存在する領域のおむつ幅方向に亘る全体を切り出し、テンシロン引張り試験機〔型番：ＲＴＡ−１００、（株）オリエンテック社製〕を用いて、おむつ幅方向に対応する方向に伸張させる。
初期チャック間距離は、第１部の幅方向の自然長（弾性部材を伸長させない自然状態における長さ，初期長）から５０ｍｍを減じた長さとし、サンプルの両端部をそれぞれチャックに挟む。次いで、クロスヘッド移動速度３００ｍｍ／ｍｉｎの条件で、サンプルを最大伸張幅（第１部から弾性部材を排除し、該胴回り部を収縮させないようにして測定した第１部Ｂにおける胴回り部の幅）まで伸長させる。最大伸張時の伸長率Ｐ（％）は、〔（最大伸張幅−初期長）／初期長〕×１００で求められる。そして、最大伸張時の伸張率Ｐから３０％を減じた伸張率〔（Ｐ−３０）％〕における引張荷重（引張力）を求める。
【００１３】
本実施形態のおむつ１における前記伸縮部８は、各ファスニングテープ５の近傍においても弾性伸縮性を発現する。具体的には、吸収体４の両側縁４１，４１の位置よりもおむつ幅方向外方に位置する左右のサイドフラップ部にも帯状弾性部材８１の一部が延在している。
帯状弾性部材８１がファスニングテープ５の近傍においても弾性伸縮性を発現するようにすると、その伸縮部がファスニングテープとより連動するため、より着用し易く、また、背側装着した場合においては、着用中に腹囲の変化に対して追従性が良好であるため隙間を生じず、漏れも一層生じにくい。
帯状弾性部材８１は、おむつ幅方向の長さＬ２（図１参照）が、第１部Ｂ（前記一方の部位）のおむつ全幅Ｌ３（第１部Ｂの全幅，図１参照）の７５〜９５％であることが好ましい。
尚、本実施形態においては、帯状弾性部材８１のウエスト縁部側の一端縁の位置は、おむつのウエスト縁部１１の端縁の位置と完全に一致しているが、多少ずれた位置にあっても良い。
【００１４】
また、帯状弾性部材８１は、一対のファスニングテープ間の領域Ｄ内に位置する部分のおむつ長手方向の長さＬ４（図１参照）が、該領域Ｄのおむつ長手方向の長さＬ５（図１参照）に対して１／３〜２／３の長さである。
帯状弾性部材８１が前記領域Ｄと完全に重なる場合には吸収体４が股下方向へ追いやられて背側装着時の吸収性能が不充分となる恐れがある。両者の比（Ｌ４／Ｌ５）を２／３以下とすることにより、背側装着時の吸収性能を充分とすることができる。また、両者の比（Ｌ４／Ｌ５）を１／３以上とすることにより、背側装着時のフィット性が上がり脇漏れの発生を確実に防止することができる。
【００１５】
本実施形態のおむつ１は、股下部Ａの最小幅部分の幅Ｗ１（図１参照）が１００〜２４０ｍｍであり、好ましくは１００〜２３０、特に好ましくは１００〜２００ｍｍである。最小幅部分の幅Ｗ１は、図１に示すように使い捨ておむつ１を平面状に拡げた状態（緊張状態）下に、おむつ両側縁１１，１１間の距離Ｗ（以下、股下部の幅ともいう）をおむつ幅方向に沿って測定したときの最小値である。
股下部の最小幅部分の幅Ｗ１が１００ｍｍ未満であると、装着作業中に起立状態の着用者の両脚間に使い捨ておむつを保持させることが難しくなると共に必要な吸収性能や漏れ防止性能を確保できなくなる恐れがあり、前記幅Ｗ１が２４０ｍｍ超であると、着用者の両脚間に使い捨ておむつをスムーズに挿入できなくなったり、着用者の装着感を悪化させる恐れがある。
【００１６】
本実施形態のおむつ１においては、おむつ長手方向の５０ｍｍ以上の長さに亘って、前記股下部の幅Ｗが１００〜２４０ｍｍの範囲内（特に１００〜２３０の範囲内）であることが好ましく、特に、股下部の最小幅部分からおむつ長手方向にそれぞれ２５ｍｍ以上の長さに亘って、前記股下部の幅Ｗが１００〜２４０ｍｍの範囲内（特に１００〜２３０の範囲内）であることが立位での装着がし易いので好ましい。
【００１７】
本実施形態のおむつ１は、おむつを長手方向に２等分する中央線（図２参照）の両側の飽和吸収容量、即ち中央線ＣＬの両側に位置する両部分Ｆ，Ｇの飽和吸収容量の比（部分Ｆ／部分Ｇ）が４５／５５〜５５／４５であり、そのため、背側装着した場合においても尿漏れが生じない。腹側装着及び背側装着の何れの場合においても尿漏れが生じないようにする観点から、前記飽和吸収容量の比（部分Ｆ／部分Ｇ）は４８／５２〜５２／４８であることが好ましく、両部分の飽和吸収容量は、両者の差が小さい程好ましい。図２には、図１の使い捨ておむつを、立ち上がった状態の幼児に装着（立位装着）する様子を示した。図２（ａ）は腹側装着する場合、図２（ｂ）は背側装着する場合である。
【００１８】
ここで、おむつの中央線ＣＬの両側の飽和吸収容量は、以下のようにして測定される。
〔飽和吸収容量の測定方法〕
先ず、おむつ１を、その長手方向を２等分する中央線ＣＬで、幅方向に切断する。
そして、立体ギャザー及びレッグギャザーを切断して除去する。更に、胴回り部に配された配された伸縮部を切断する。但し、吸収層の構造が破壊又は切断されることがないように留意する。容器から水平に取り出せるように加工した金網に、切断したおむつを載せ、金網ごと重量を測定する。予め側面下部に溶液を排出する開口部を設けた容器内に金網ごとおむつを入れ、排出開口部を閉じ、０．９重量％の生理食塩水を吸収体が完全に浸漬するように注入する。このときに、おむつの切断端部からポリマー等が脱落しないように注入速度を調節する。完全浸漬後３０分放置する。その後、排出開口部を下側にして容器ごと１０度傾け、排出開口部を開き、容器内の溶液を排出する。排出が完全に終了するまで３０分放置し、その後、容器から金網ごとおむつを取り出し、金網ごと重量を測定する。「試験終了後の重量」−「試験開始前の重量」からおむつの吸収量を算出し、この値を飽和吸収量（ｇ）とする。
【００１９】
本実施形態のおむつ１においては、帯状弾性部材８１の股下部Ｂ側の一端縁８１ａと、吸収体４の帯状弾性部材８１側の一端縁４２ａとの間の距離Ｌ６が０〜２０ｍｍである。
前記距離Ｌ６が２０ｍｍ超であると、背側装着の際Ｌ６の部分がヨレ易くフィットし難いためモレ易くなる。
背側装着時のフィット性向上並びに吸収性能向上の観点から、前記距離Ｌ６は、０〜１０ｍｍであることがより好ましい。
【００２０】
尚、本使い捨ておむつ１における第２部Ｃのウエスト縁部には、帯状弾性部材８１よりも細幅の帯状弾性部材９１が配設されてウエスト伸縮部９が形成されている。
【００２１】
本実施形態のおむつ１によれば、ファスニングテープと幅方向に整列した位置に、帯状弾性部材８１により形成された伸縮部があるため、股下部の幅を狭くしてもずれ落ちが生じにくく、漏れ防止性能が高い。また、漏れ防止性能やフィット性を損なうことなく股下部の幅を狭くすることができたので、立位状態の幼児等における狭い股間部（両脚間の空間）にもおむつをスムーズに当てることができ、立位状態の幼児等に対して、腹側装着及び背側装着の何れの方法でも容易に装着できる。
また、吸収体の長手方向の端縁に帯状弾性部材を接触ないし近接させて配したので、吸収体端縁においては着用者の肌との間に細かい隙間が生じにくくなるため、尿漏れが抑止される。
【００２２】
本実施形態のおむつ１における各部の形成材料について説明する。
表面シート２、裏面シート３、吸収体４、及び立体ギャザー形成用のシート材６２、ランディングゾーン５１形成用のランディングテープ等の形成材料としては、従来、使い捨ておむつに用いられている各種公知の材料を特に制限なく用いることができる。
【００２３】
ファスニングテープ５は、機械的面ファスナーのオス部材からなる止着部を有するものでも、粘着剤を塗布して形成した粘着部を有するものでも良い。また、裏面シート３の外表面側を係合性に富む素材により形成し、それをランディングゾーン５１として利用することもできる。
【００２４】
弾性部材６１、７１、９１としては、それぞれ各種公知の弾性部材を用いることができ、例えば、各弾性部材の形態としては、糸状のもの（糸ゴム等）、所定幅の帯状のもの（平ゴム等）、薄膜状のもの等を挙げることができ、弾性部材の形成素材としては、天然ゴムの他、スチレン−ブタジエン、ブタジエン、イソプレン、ネオプレン等の合成ゴム、ＥＶＡ、伸縮性ポリオレフィン、ウレタン等を挙げることができる。
【００２５】
帯状弾性部材８１の形成素材としても、天然ゴムの他、スチレン−ブタジエン、ブタジエン、イソプレン、ネオプレン等の合成ゴム、ＥＶＡ、伸縮性ポリオレフィン、ウレタン等を挙げることができ、特にウレタン発泡体が好ましい。
【００２６】
以上、本発明の好ましい一実施形態について説明したが、本発明は、上述した実施形態に制限されず、本発明の趣旨を逸脱しない範囲で種々変更が可能である。
例えば、上記実施形態のおむつにおいては、おむつ長手方向の中央線ＣＬ上において股下部の幅が最小となっているが、中央線ＣＬからおむつ長手方向の前方又は後方に偏倚した位置に股下部の最小幅部分が存在していても良い。
本発明の使い捨ておむつは、成人用の使い捨ておむつであっても良いが、幼児（ベビー）用の使い捨ておむつ、特におむつ換えを嫌がる幼児に適している。
【００２７】
【実施例】
（実施例１）
図１に示す形態の使い捨ておむつを製造した。
そのおむつは帯状弾性部材８１の幅Ｌ１が４０ｍｍ、他方の帯状弾性部材９１の幅が２０ｍｍ、股下部の最小幅部分の股間幅Ｗ１が２２０ｍｍであり、帯状弾性部材と吸収体端縁との間の距離Ｌ６が５ｍｍであり、飽和吸収容量の前後比が５２／４８であった。
【００２８】
（比較例１）
比較例として帯状弾性部材８１の幅が１８ｍｍ、他方の帯状弾性部材９１の幅が１８ｍｍ、股下部の最小幅部分の股間幅Ｗ１が２４０ｍｍであり、帯状弾性部材８１と吸収体端縁との間のキョリが１０ｍｍであり、飽和吸収容量の前後比が５６／４４である使い捨ておむつを製造した。なお、左右のファスニングテープ固定部の存在するおむつ幅方向領域には上記帯状弾性部材８１は存在しない。
（比較例２）
実施例１において、帯状弾性部材８１と吸収体端縁との間の距離を２５ｍｍとし、飽和吸収容量の前後比を５４／４６とした以外は同様にしておむつを作成した。
【００２９】
＜性能評価＞
実施例及び比較例の使い捨ておむつについて、立位装着の容易性、前後装着前モレ性能、背側装着におけるズレ落ち性能を下記評価方法及び評価基準で評価した。結果を表１に示した。
立位装着の容易性
（装着のし易さの評価）
装着方法は幼児モデルを立たせておいて、紙おむつのファスニングテープを着用者の腹側においてランディングゾーンに止着する方法（腹側装着）とし、立位での装着のし易さを評価した。
（評価基準）
立位での装着においてずれることなくきちんとおへそ位置に装着できた場合、○とした。
装着途中ずれておへそ下で止着せざるをえなくなった場合は×とした。
【００３０】
前後装着前モレ性能
（前モレ値の測定）
実施例及び比較例の使い捨ておむつを、それぞれ立位における腹側装着及び背側装着の二つの装着方法により、幼児腰部モデル股間部からの人工尿の注入が可能であり、形態的に幼児の腰部を模してあるモデル）に装着し、装着方法毎に下記方法で前漏れ値を測定した。その結果を表１に示した。尚、腹側装着は、第１部を着用者の背側に位置させて装着する通常の方法（ファスニングテープを着用者の腹側においてランディングゾーンに止着する方法）であり、背側装着は、第１部を着用者の腹側に位置させて装着する方法である。
前漏れ値の測定においては、先ず、使い捨ておむつを、上記の幼児腰部モデルに装着し、モデルをうつ伏せにし、５ｇ／秒の速度で４０ｇの人工尿を注入し、４０ｇの注入が終了した時点で漏れが生じていないかを目視にてチェックした。漏れが生じていないものについては、５分後更に４０ｇの人工尿の注入を行い、このような操作を漏れが生じるまで繰り返した。そして、尿の漏れが観察された時点における人工尿の合計注入量を前漏れ値とした。
【００３１】
背側装着におけるズレ落ち性能
（ズレ落ち量の評価）
実施例及び比較例の使い捨ておむつを、腹側装着により幼児腰部モデル（立位で両脚を前後させる歩行運動及び股間部からの人工尿の注入が可能であり、形態的に幼児の腰部を模してあるモデル）に装着し、下記方法で動的股モレ値とズレ落ち量を測定した。
股モレ値とズレ落ち量の測定においては、先ず使い捨ておむつを上記の幼児モデルに装着し（腹側先端オヘソ位置）、１５０歩／分の歩行速度で５分間歩行運動させた。（立位）その後、歩行運動を停止し、チューブを介しておむつ５ｇ／秒の速度で８０ｇの人工尿を注入し、さらに５分間歩行運動を行なわせた。その時のオヘソからおむつ先端までのキョリをズレ落ち量とした。
【００３２】
【表１】
2004057415.tif 000003
【００３３】
【発明の効果】
本発明によれば、起立した状態の幼児等に対して容易に装着することができ、特に背側装着する際の装着性及びフィット性に優れた、前後装着容易な展開型の使い捨ておむつを提供することができる。
【図面の簡単な説明】
【図１】図１は、本発明の一実施形態としての使い捨ておむつを、各部の弾性部材を伸張させ平面状に拡げた状態（緊張状態）を示す平面図である。
【図２】図２は、図１の使い捨ておむつを、立ち上がった状態の幼児に装着する様子を示す図であり、図２（ａ）は腹側装着する場合、図２（ｂ）は背側装着する場合を示す図である。
【符号の説明】
１　　使い捨ておむつ
２　　表面シート
３　　裏面シート
４　　吸収体
５　　ファスニングテープ
８１　帯状弾性部材
Ａ　　股下部
Ｄ　　一対のファスニングテープ同士間に位置する領域
【図１】
2004057415.tif 000004
【図２】
2004057415.tif 000005